(57)【要約】【課題】  物品の落下および飛び出しを防止する部材が、ガタツキのない安定したものである落下防止装置を提供すること。【解決手段】  ベース部材１は、厚みを有する部材であり、略中央部から下部にかけて長孔状にのびる軸支孔３と略中央部から上部に向かい、上端が開口した溝状の支持部４とを備え、落下防止バー２は、左右両側片２１と水平片２２とを有する略コ字形の部材であり、左右両側片の中程より下側が内側に略コ字形に折れ曲がり、折曲部２３が形成され、折曲部の外側方に向かう先端部２３ａにおいて、落下防止バーはベース部材の軸支孔に軸支される。【選択図】図１
2006087709.tif 000002
【特許請求の範囲】
【請求項１】
キャビネットの左右両側板の内面前側に取り付けられる一対のベース部材と、キャビネットの前方を上下に回動する落下防止バーとを備えた落下防止装置において、ベース部材は、厚みを有する部材であり、略中央部から下部にかけて長孔状にのびる軸支孔と略中央部から上部に向かい、上端が開口した溝状の支持部とを備え、落下防止バーは、左右両側片と水平片とを有する略コ字形の部材であり、左右両側片の中程より下側が内側に略コ字形に折れ曲がり、折曲部が形成され、この折曲部の外側方に向かう先端部において、落下防止バーはベース部材の軸支孔に軸支され、左右両側片の中程より上側がベース部材の支持部に挿入されるとき、落下防止バーは、キャビネットの前面開口に起立状態に保持され、左右両側片の中程より上側がベース部材の支持部から取り出されるとき、落下防止バーは、折曲部の先端部を中心としてキャビネットの前方を上下に回動可能となることを特徴とする落下防止装置。
【請求項２】
落下防止バーの左右両側片における中程より上側の外幅が、ベース部材の支持部間の最大距離より長めとなっている請求項１記載の落下防止装置。
【請求項３】
ベース部材において、上端部が側方に切り欠かれ、切欠部が支持部に連設されるとともに、切り欠かれたベース部材の側端部に、側端に向かうにしたがって厚みが薄くなるように傾斜する傾斜面が形成されている請求項１または２記載の落下防止装置。
【発明の詳細な説明】
【技術分野】
【０００１】
本願発明は、キャビネットに収納された物品の落下や飛び出しを防止する落下防止装置に関するものである。
【背景技術】
【０００２】
食器棚、書架等のキャビネットには、収納した食器、本等の物品が地震やその他の振動により落下したり、飛び出したりするのを防ぐために、落下防止装置が取り付けられることがある。
【０００３】
たとえば、落下防止装置は、キャビネットの左右両側板の前側に取り付けられる一対の取り付け具と、回転機構を介してキャビネットの前方に回動自在に取り付けられた支持腕部と、支持腕部の先端に設けられた止め杆とを備える（特許文献１参照）。
【特許文献１】特開平１１−２７６２７６号公報
【発明の開示】
【発明が解決しようとする課題】
【０００４】
しかしながら、上記特許文献１に記載された落下防止装置では、回転機構が、円形孔とこの円形孔に回転自在に嵌合される回転支持軸とからなり、円形孔の周縁に非円形状の回転支持軸係合孔が設けられ、この回転支持軸係合孔の形状に対応した断面を有する回転支持軸が設けられており、回転支持軸において止め杆の回動を阻止するようにしているため、止め杆にガタツキが生じやすいことが指摘される。
【０００５】
本願発明は、このような事情に鑑みてなされたものであり、食器、本等の物品の落下および飛び出しを防止する部材が、ガタツキのない安定したものである落下防止装置を提供することを解決すべき課題としている。
【課題を解決するための手段】
【０００６】
本願発明は、上記の課題を解決するために、第１には、キャビネットの左右両側板の内面前側に取り付けられる一対のベース部材と、キャビネットの前方を上下に回動する落下防止バーとを備えた落下防止装置において、ベース部材は、厚みを有する部材であり、略中央部から下部にかけて長孔状にのびる軸支孔と略中央部から上部に向かい、上端が開口した溝状の支持部とを備え、落下防止バーは、左右両側片と水平片とを有する略コ字形の部材であり、左右両側片の中程より下側が内側に略コ字形に折れ曲がり、折曲部が形成され、この折曲部の外側方に向かう先端部において、落下防止バーはベース部材の軸支孔に軸支され、左右両側片の中程より上側がベース部材の支持部に挿入されるとき、落下防止バーは、キャビネットの前面開口に起立状態に保持され、左右両側片の中程より上側がベース部材の支持部から取り出されるとき、落下防止バーは、折曲部の先端部を中心としてキャビネットの前方を上下に回動可能となることを特徴としている。
【０００７】
本願発明は、第２には、落下防止バーの左右両側片における中程より上側の外幅が、ベース部材の支持部間の最大距離より長めとなっていることを特徴としている。
【０００８】
本願発明は、第３には、ベース部材において、上端部が側方に切り欠かれ、切欠部が支持部に連設されるとともに、切り欠かれたベース部材の側端部に、側端に向かうにしたがって厚みが薄くなるように傾斜する傾斜面が形成されていることを特徴としている。
【発明の効果】
【０００９】
本願発明の第１の落下防止装置によれば、落下防止バーにガタツキが生ずることはなく、安定している。
【００１０】
本願発明の第２の落下防止装置によれば、弾性力により落下防止バーがより安定して支持部に保持される。
【００１１】
本願発明の第３の落下防止装置によれば、落下防止バーの支持部への挿入を案内することができ、挿入が容易となる。
【発明を実施するための最良の形態】
【００１２】
以下、図面に沿って本願発明の落下防止装置についてさらに詳しく説明する。
【００１３】
図１は、本願発明の落下防止装置の一実施形態を示した分解斜視図である。
【００１４】
落下防止装置は、左右一対のベース部材１と落下防止バー２とを備える。
【００１５】
ベース部材１は、厚みのある部材であり、略中央部から下部にかけて長孔状にのびる軸支孔３を有している。この軸支孔３の直上、すなわち、ベース部材１の略中央部から上部にかけては、溝状の支持部４が形成されており、この支持部４の上端は開口されている。
【００１６】
このようなベース部材１は、たとえば樹脂成形品とすることができる。
【００１７】
落下防止バー２は、左右両側片２１と水平片２２とから形成された略コ字形の形状を有する部材である。金属等の線材により形成することができるものである。左右両側片２１の中程から下側は、内側に略コ字形に折れ曲がった折曲部２３となっている。この折曲部２３の外側方に向かう先端部２３ａが、ベース部材１の軸支孔３に回動自在に嵌め込まれ、落下防止バー２は、左右のベース部材１に軸支される。
【００１８】
このような落下防止装置は、次のようにして、食器棚、書架等のキャビネットに取り付けることができる。
【００１９】
すなわち、キャビネット５の左右両側板６の内面前側にベース部材１を取り付ける。この取り付けには、たとえば、キャビネット５の左右両側板６に形成されているダボ穴７を使用することができ、この場合、ベース部材１の背面にダボ８を立設しておくことができる。ダボ８のダボ穴７への嵌合により、ベース部材１は、キャビネット５の左右両側板６の前側に取り付けられる。ベース部材１の安定した固定のためには、ベース部材１がダボ８を中心にして回動しないように、ダボ８とは異なる位置で、ビス９をキャビネット５の左右両側板６にねじ込むことができる。このビス９は、ダボ８に替えることもでき、２本のダボ８の異なる位置でのダボ穴７への嵌合により、キャビネット５の左右両側板６へのベース部材１の取り付けは安定する。
【００２０】
このようにしてキャビネット５の左右両側板６に取り付けられたベース部材１に、落下防止バー２が取り付けられる。すなわち、落下防止バー２をその弾性により少し撓ませて、左右両側片２１に形成された折曲部２３の外側方に向かう先端部２３ａをベース部材１の軸支孔３に嵌め込む。この場合、軸支孔３による軸支がスムーズとなるように、先端部２３ａには端面キャップ１０を装着することができる。
【００２１】
以上のようにして、落下防止装置はキャビネット５に取り付けることができるので、その取り付けは容易であり、既存のキャビネット５に後付けすることもできる。
【００２２】
図２は、落下防止装置により、食器、本等の物品の落下や飛び出しが防止されている状態を示している。物品の落下や飛び出しを防止するために、落下防止バー２が、キャビネット５の前面開口に起立状態に配置されている。この起立状態は、落下防止バー２の折曲部２３の先端部２３ａが、ベース部材１の軸支孔３の下端に位置し、落下防止バー２の左右両側片２１の中程より上側が、ベース部材１の支持部４内に挿入されることにより実現される。左右両側片２１の中程より上側がベース部材１の支持部４内に挿入されているため、落下防止バー２は、起立状態に保持され、この状態を安定に維持することができる。落下防止バー２がガタツクことはない。
【００２３】
食器、本等の物品をキャビネット５に収納し、また、取り出す際には、落下防止バー２が起立状態にあると、物品の収納および取り出しの邪魔になる。そこで、落下防止バー２を下方へと移動させる。この状態を示したのが、図３である。
【００２４】
ベース部材１の軸支孔３は、長孔状となっているため、落下防止バー２の左右両側片２１に形成された折曲部２３の先端部２３ａは、軸支孔３の長さ範囲に移動することができる。落下防止バー２の起立状態では、上記のように、折曲部２３の先端部２３ａは、軸支孔３の下端にある。そこで、折曲部２３の先端部２３ａを軸支孔３の上端にくるまで、落下防止バー２を上方へ移動させる。この移動により、落下防止バー２の左右両側片２１の中程より上側がベース部材１の支持部４から取り出される。落下防止バー２の折曲部２３の先端２３ａは、ベース部材１の軸支孔３内に位置するため、落下防止バー２は、キャビネット５の前方への回動が可能となる。そこで、落下防止バー２をキャビネット５の前方へと回動させ、下方へ移動させる。この移動にともなって、落下防止バーの折曲部２３の先端部２３ａは、軸支孔３に沿って軸支孔３の下端へと移動する。最終的には、図４に示したように、落下防止バー２は転倒した状態となり、キャビネット５の前面開口はすべて開放される。食器、本等の物品の収納および取り出しが可能となる。
【００２５】
落下防止バー２を再びセットするときは、以上と逆の操作をすればよい。落下防止バー２の左右両側片２１に形成された折曲部２３の先端部２３ａは、ベース部材１の軸支孔３の下端に位置していることから、このままの状態で、落下防止バー２を上方へと回動させることができる。落下防止バー２がキャビネット５の前面にきたら、落下防止バー２を引き上げ、左右両側片２１の中程より上側を支持部４の上方に位置させる。そして、落下防止バー２を引き下げる。落下防止バー２の左右両側片２１の中程より上側が支持部４内に挿入され、落下防止バー２は、起立状態に保持される。
【００２６】
なお、図４に示したように、ベース部材１において上端部を側方に切り欠き、切欠部１１を支持部４に連設し、また、切り欠かれたベース部材１の側端部に、側端に向かうにしたがって厚みが薄くなるように傾斜する傾斜面１２を形成しておくと、落下防止バー２の左右両側片２１を支持部４に向けて案内することができ、落下防止バー２の支持部４への挿入が容易となる。
【００２７】
また、落下防止バー２の左右両側片２１における中程より上側の外幅Ｗは、ベース部材１の支持部４間の最大距離ｗよりも長めにすると、落下防止バー２の中程より上側が支持部４内に挿入されるとき、弾性力が発生するため、落下防止バー２の起立状態がより安定に保持される。
【００２８】
もちろん、本願発明は、以上の実施形態によって限定されるものではない。ベース部材の大きさ、形状および材質、落下防止バーの材質、また、キャビネットの構成および構造等については様々な態様が可能であることはいうまでもない。
【図面の簡単な説明】
【００２９】
【図１】本願発明の落下防止装置の一実施形態を示した分解斜視図である。
【図２】落下防止装置により物品の落下や飛び出しが防止されている状態を示した斜視図である。
【図３】物品の収納および取り出しを行う際に落下防止バーを転倒させる状態を示した斜視図である。
【図４】落下防止バーが完全に転倒した状態を示した斜視図である。
【符号の説明】
【００３０】
１    ベース部材
２    落下防止バー
２１    側片
２２    水平片
２３    折曲部
２３ａ    先端部
３    軸支孔
４    支持部
５    キャビネット
６    側板
７    ダボ穴
８    ダボ
９    ビス
１０    端面キャップ
１１    切欠部
１２    傾斜面
【図１】
2006087709.tif 000003
【図２】
2006087709.tif 000004
【図３】
2006087709.tif 000005
【図４】
2006087709.tif 000006